(57)【要約】【課題】光学像を取り込むレンズ系を光軸に対して適切な位置に精度良く配置して解像度を向上したレンズ鏡筒およびそれを用いた撮像装置を提供することを目的としている。【解決手段】光学像を取り込むフォーカス調整用の第１レンズ系１１１を保持したフォーカスレンズ枠１２０と、像ブレ補正用の第２レンズ系１１２を保持した像ブレ補正ユニット１３０と、フォーカスレンズ枠１２０と像ブレ補正ユニット１３０とを保持した第１鏡筒部１１０を備え、この第１鏡筒部１１０は、フォーカスレンズ枠１２０を保持した部分と、像ブレ補正ユニット１３０を保持した部分とが一体成型されている構成としたものである。【選択図】図１
2011123390.tif 000002
【特許請求の範囲】
【請求項１】
光学像を取り込むレンズ系を保持したレンズ枠と、
像ブレ補正用のレンズ系を保持した像ブレ補正ユニットと、
前記レンズ枠と前記像ブレ補正ユニットとを保持した鏡筒部を備え、
前記鏡筒部は、前記レンズ枠を保持した部分と、前記像ブレ補正ユニットを保持した部分とが一体成型されている
レンズ鏡筒。
【請求項２】
前記鏡筒部は、
前記レンズ枠と前記像ブレ補正ユニットとを仕切る仕切板が一体成型されており、
前記仕切板には、前記レンズ枠および前記像ブレ補正ユニットを保持するガイドポールの一端を取り付けた
請求項１に記載のレンズ鏡筒。
【請求項３】
前記鏡筒部の開口に蓋部を配置し、
前記鏡筒部の内周形状と前記蓋部の外周形状を互いに方形状にするとともに、
前記蓋部の外周面に設けた突起部を前記鏡筒部の内周面に当接させて、
前記レンズ枠を保持する前記ガイドポールの他端を前記蓋部に取り付けた
請求項２に記載のレンズ鏡筒。
【請求項４】
請求項１〜請求項３に記載のレンズ鏡筒を用いた撮像装置。
【発明の詳細な説明】
【技術分野】
【０００１】
本発明は、光学像を取り込むレンズ系を保持したレンズ枠と光学像の像ブレを補正する補正ユニットとを有するレンズ鏡筒およびそれを用いた撮像装置に関する。
【背景技術】
【０００２】
近年、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ  Ｍｅｔａｌ−ｏｘｉｄｅ  Ｓｅｍｉｃｏｎｄｕｃｔｏｒ）センサ等の撮像素子を用いたデジタルスチルカメラやビデオムービーの普及が著しい。一般に、これらのデジタルスチルカメラやビデオムービーには、被写体の光学像を撮像素子に結像させるためのレンズ鏡筒が取り付けられている。特に、デジタルスチルカメラでは、撮影をしない場合、レンズ鏡筒をカメラ本体に収納する沈胴式タイプが普及している。沈胴式のレンズ鏡筒は、例えば、特許文献１に開示されている。
【０００３】
このようなレンズ鏡筒は、撮影時における光学像の像ブレを補正する像ブレ補正ユニットを備えている。レンズ保持部を介して像ブレ補正用レンズが取り付けられており、このレンズ保持部はレンズの周囲に配置した支持軸を介してレンズ枠に保持されている。
【０００４】
また、支持軸を基点にして、レンズ保持部を回動または並進させる２つのアクチュエータが配置されている。一方のアクチュエータは、レンズ群の中心から同心円上に外側に向かって、支持軸よりもさらに外側に配置され、他方のアクチュエータは、レンズ群を中心にして反対側の位置に配置されている。これら２つのアクチュエータは、レンズ群の周囲に同一面上かつ直線的に配置されている。
【０００５】
これらのアクチュエータは、永久磁石をレンズ保持部に配置し、ソレノイドコイルをレンズ枠に配置し、ソレノイドコイルと永久磁石を対向させ、磁力によって駆動させるものである。像ブレに応じて、一方のアクチュエータが水平方向に推力を発生し、他方のアクチュエータが重力方向に推力を発生し、レンズ保持部を回動または並進させて像ブレを補正する。このような像ブレを補正する像ブレ補正ユニットについては特許文献２に開示されている。この特許文献２では、互いに直交するＸ軸、Ｙ軸、Ｚ軸において、光軸方向をＸ軸とした場合、Ｚ軸方向の像ブレ、または、Ｙ軸方向の像ブレを補正するものである。
【０００６】
また、ビデオムービーに用いたレンズ鏡筒は特許文献３に開示されている。レンズ鏡筒は、変倍レンズ群を保持したズームレンズ用移動枠と、フォーカスレンズ群を保持したフォーカスレンズ用移動枠とを備えている。ズームレンズ用移動枠は本体に保持されており、フォーカスレンズ用移動枠はマスターフランジに保持されている。この本体とマスターフランジは、レンズが固定された３群枠を介して組み合わされている。
【先行技術文献】
【特許文献】
【０００７】
【特許文献１】特開２００８−１８５７８６号公報
【特許文献２】特開２００７−２４１２５４号公報
【特許文献３】特開平３−２５９２０７号公報
【発明の概要】
【発明が解決しようとする課題】
【０００８】
上記従来の構成では、像ブレ補正ユニットやズームレンズやフォーカスレンズ等の光学像を取り込むレンズ系がレンズ鏡筒に配置されている。このレンズ系は、光学像の光軸に対して精度良く配置されていることが重要である。特に、ハイビジョン等の高解像度の画像や映像の撮影では、光軸に対してレンズ系が精度良く配置されているかどうかが非常に重要である。光軸に対してレンズ系の位置がずれてしまうと、解像度が劣化してしまうからである。
【０００９】
特許文献３のように、変倍レンズ群を保持したズームレンズ用移動枠が本体に保持され、フォーカスレンズ群を保持したフォーカスレンズ用移動枠がマスターフランジに保持されている場合、本体とマスターフランジは別々の部品なので、互いに位置ずれが生じやすい。すなわち、本体に対して変倍レンズ群が適切な位置に配置され、マスターフランジに対してフォーカスレンズ群が適切な位置に配置されていたとしても、本体とマスターフランジとを組み合わせる際に、本体とマスターフランジの組み合わせ位置がずれてしまう可能性がある。つまり、変倍レンズ群とフォーカスレンズ群も適切な位置からずれてしまい、光軸に対してこれらのレンズ系を適切な位置に精度良く配置できなくなる。
【００１０】
このように、従来の構成では、光学像を取り込むレンズ系が光軸に対して適切な位置に精度良く配置されず、画像や映像の解像度を劣化させるという問題を有していた。
【００１１】
本発明は上記問題を解決するもので、光学像を取り込むレンズ系を光軸に対して適切な位置に精度良く配置して解像度を向上したレンズ鏡筒およびそれを用いた撮像装置を提供することを目的としている。
【課題を解決するための手段】
【００１２】
上記目的を達成するために本発明のレンズ鏡筒は、光学像を取り込むレンズ系を保持したレンズ枠と、像ブレ補正用のレンズ系を保持した像ブレ補正ユニットと、前記レンズ枠と前記像ブレ補正ユニットとを保持した鏡筒部を備え、前記鏡筒部は、前記レンズ枠を保持した部分と、前記像ブレ補正ユニットを保持した部分とが一体成型されている構成である。
【００１３】
また、上記目的を達成するために本発明の撮像装置は、レンズ鏡筒を有し、前記レンズ鏡筒は、光学像を取り込むレンズ系を保持したレンズ枠と、像ブレ補正用のレンズ系を保持した像ブレ補正ユニットと、前記レンズ枠と前記像ブレ補正ユニットとを保持した鏡筒部を備え、前記鏡筒部は、前記レンズ枠を保持した部分と、前記像ブレ補正ユニットを保持した部分とが一体成型されている構成である。
【発明の効果】
【００１４】
本発明によれば、鏡筒部は、レンズ枠を保持した部分と、像ブレ補正ユニットを保持した部分とが一体成型されているので、レンズ枠を保持した部分と像ブレ補正ユニットを保持した部分とは互いに位置ずれが生じない。すなわち、レンズ枠に保持されたレンズ系と、像ブレ補正ユニットに保持された像ブレ補正用のレンズ系は、光軸に対して適切な位置に精度良く配置される。したがって、解像度の向上を図れる。
【図面の簡単な説明】
【００１５】
【図１】一実施の形態におけるレンズ鏡筒の要部断面図
【図２】同レンズ鏡筒の要部分解断面図
【図３】同レンズ鏡筒の要部側面図
【発明を実施するための形態】
【００１６】
以下、一実施の形態におけるレンズ鏡筒について図面を参照しながら説明する。図１は一実施の形態におけるレンズ鏡筒の要部断面図、図２は同レンズ鏡筒の要部分解断面図、図３は同レンズ鏡筒の要部側面図である。
【００１７】
＜レンズ鏡筒１００の全体構成について＞
レンズ鏡筒１００の全体構成について説明する。図１、図２において、レンズ鏡筒１００は、第１鏡筒部１１０と、この第１鏡筒部１１０に組み合わされる第２鏡筒部（図示せず）を備えている。
【００１８】
第１鏡筒部１１０には、フォーカス調整用の第１レンズ系１１１を保持したフォーカスレンズ枠１２０と、像ブレ補正用の第２レンズ系１１２を保持した像ブレ補正ユニット１３０が保持されている。この第１鏡筒部１１０はマスターフランジといい、像ブレ補正ユニット１３０はＯＩＳユニットともいう。
【００１９】
この第１鏡筒部１１０の筒内には、仕切板１１５が配置されており、この仕切板１１５によってフォーカスレンズ枠１２０と像ブレ補正ユニット１３０が仕切られている。この仕切板１１５には、フォーカスレンズ枠１２０および像ブレ補正ユニット１３０を保持するガイドポール１４０の一端が取り付けられている。
【００２０】
この仕切板１１５が配置された第１鏡筒部１１０は、樹脂成型品であって、全体が一体化された一体成型品である。よって、第１鏡筒部１１０は、フォーカスレンズ枠１２０が保持されている部分と、像ブレ補正ユニット１３０が保持されている部分とが、別々の部品で構成されておらず、一体化された１つの部品として構成されている。
【００２１】
また、第１鏡筒部１１０の両端部には開口が設けられており、一方の開口には蓋部１５０が配置され、他方の開口には像ブレ補正ユニット１３０が配置されている。この蓋部１５０は、マスターフランジカバーともいう。
【００２２】
さらに、第１鏡筒部１１０の内周形状と蓋部１５０の外周形状は互いに方形状に加工されている。蓋部１５０の外周面には突起部１５２が設けられている。この突起部１５２は、蓋部１５０の角部の近傍に設けられている。この突起部１５２は、蓋部１５０の外周面の辺部に、複数個、設けてもよい。この蓋部１５０の外周面に設けられた突起部１５２が第１鏡筒部１１０の内周面に当接させられて、第１鏡筒部１１０の開口に蓋部１５０が固定されている。この蓋部１５０には、フォーカスレンズ枠１２０を保持するガイドポール１４０の他端が取り付けられている。
【００２３】
一方、図示していないが、第２鏡筒部には、ズーム調整用の第３レンズ系を保持したズームレンズ枠と、光学像を最初に取り込むための固定用の第４レンズ系が保持されている。
【００２４】
レンズ鏡筒１００に配置された第１〜第４レンズ系は、レンズ鏡筒１００の前面側から、固定用の第４レンズ系、ズーム調整用の第３レンズ系、像ブレ補正用の第２レンズ系１１２、フォーカス用の第１レンズ系１１１の順番で配置されている。これらの第１〜第４レンズ系は、各々、１枚または複数枚のレンズを組み合わせて形成されている。被写体の光学像は、これらの第１〜第４レンズ系、仕切板１１５、蓋部１５０を介して、撮像素子で結像される。第１鏡筒部１１０に配置されている仕切板１１５や蓋部１５０は、光学像を通過させるように形成されている。
【００２５】
＜像ブレ補正ユニット１３０について＞
次に、像ブレ補正ユニット１３０について説明する。像ブレ補正ユニット１３０には、像ブレ補正用の第２レンズ系１１２が保持されている。この第２レンズ系１１２は、可動レンズ系１１２Ａと固定レンズ系１１２Ｂを有する。可動レンズ系１１２Ａは、光軸と垂直な方向に対して移動可能な状態に保持されており、固定レンズ系１１２Ｂは、第１鏡筒部１１０の仕切板１１５に固定されて移動不可能な状態に保持されている。ピッチングやヨーイングと呼ばれる光学像の像ブレ（光軸と垂直な方向に対する像ブレ）が発生した場合、可動レンズ系１１２Ａを光軸と垂直な方向に対して移動させて、像ブレを補正する。像ブレ補正を精度良く行うためには、光軸に対する第１〜第４レンズ系の位置ずれを抑制することが必要である。すなわち、光軸と第１〜第４レンズ系の中心軸とを一致させることが望ましい。
【００２６】
＜第１〜第４レンズ系の配置について＞
次に、第１〜第４レンズ系の配置について説明する。
【００２７】
フォーカス調整用の第１レンズ系１１１と像ブレ補正用の第２レンズ系１１２との順番を逆にして、第２レンズ系１１２の方を撮像素子に近づけると、第１レンズ系１１１のレンズ径を大きくする必要が生じるので、第１レンズ系１１１を撮像素子に近づけて配置することが望ましい。特に、第２レンズ系１１２は、ズーム調整用の第３レンズ系とフォーカス調整用の第１レンズ系１１１との間に配置すると、第２レンズ系１１２のレンズ径を小さくできるので、第１レンズ系１１１と第３レンズ系との間に配置することが望ましい。
【００２８】
さらに、フォーカス調整用の第１レンズ系１１１とズーム調整用の第３レンズ系との順番を逆にして、第１レンズ系１１１を固定用の第４レンズ系に近づけると、第４レンズ系のレンズ径を大きくする必要が生じるので、第３レンズ系を固定用の第４レンズ系に近づけて配置することが望ましい。
【００２９】
すなわち、第１〜第４レンズ系の配置については、レンズ鏡筒１００の先端側から、固定用の第４レンズ系、ズーム調整用の第３レンズ系、像ブレ補正用の第２レンズ系１１２、フォーカス調整用の第１レンズ系１１１の順番で配置するのが望ましい。
【００３０】
＜光軸に対する第１〜第４レンズ系の位置ずれ抑制について＞
次に、光軸に対する第１〜第４レンズ系の位置ずれ抑制について説明する。
【００３１】
光軸に対して第１〜第４レンズ系の中心軸が位置ずれした場合、例えば、光軸のずれ（同軸ずれ）や光軸の傾きのずれ（チルト）が発生した場合、解像度の低下を引き起こす。特に、撮像素子に近い第１レンズ系１１１や第２レンズ系１１２の位置ずれほど、解像度に与える影響が大きくなる。これは、フォーカス調整用の第１レンズ系１１１から撮像素子に光学像を結像させる際、光の屈折角度が大きいことに起因する。光の屈折角度が大きいほど、位置規制を精度良く行う必要がある。
【００３２】
この位置規制を精度良く行うために、上述したように、第１鏡筒部１１０は、フォーカスレンズ枠１２０が保持されている部分と、像ブレ補正ユニット１３０が保持されている部分とが、別々の部品で構成しておらず、一体化された１つの部品として構成している。また、第１鏡筒部１１０の筒内に配置した仕切板１１５に取り付けたガイドポール１４０にフォーカスレンズ枠１２０および像ブレ補正ユニット１３０を保持している。このようにすれば、少なくとも、解像度に与える影響が大きい第１レンズ系１１１と第２レンズ系１１２との位置ずれを抑制して、光軸のずれ（同軸ずれ）や光軸の傾きのずれ（チルト）の発生を効果的に抑制できる。
【００３３】
また、第１鏡筒部１１０の開口に配置した蓋部１５０には突起部１５２が設けられ、この突起部１５２を第１鏡筒部１１０の筒内に当接させているので、蓋部１５０は第１鏡筒部１１０にしっかりと固定される。すなわち、第１鏡筒部１１０に対する蓋部１５０の回転を抑制できる。蓋部１５０にはガイドポール１４０の他端が取り付けられるが、蓋部１５０の回転が抑制されるので、ガイドポール１４０に保持された第１レンズ系１１１の位置ずれを抑制できる。
【００３４】
＜レンズ鏡筒１００を用いた撮像装置について＞
次に、撮像装置について説明する。
【００３５】
撮像装置は、上述したレンズ鏡筒１００と、このレンズ鏡筒１００を保持する撮像装置本体とを備えている。具体的な撮像装置としては、ＣＣＤやＣＭＯＳセンサ等の撮像素子を用いたデジタルスチルカメラやビデオムービー等が挙げられる。これらのデジタルスチルカメラやビデオムービーには、被写体の光学像を撮像素子に結像させるために、上述したレンズ鏡筒１００を取り付けている。
【００３６】
＜一実施の形態のまとめ＞
一実施の形態によれば、第１鏡筒部１１０は、フォーカスレンズ枠１２０を保持した部分と、像ブレ補正ユニット１３０を保持した部分とが一体成型されているので、フォーカスレンズ枠１２０を保持した部分と像ブレ補正ユニット１３０を保持した部分とは互いに位置ずれが生じない。すなわち、フォーカスレンズ枠１２０に保持された第１レンズ系１１１と、像ブレ補正ユニット１３０に保持された像ブレ補正用の第２レンズ系１１２とは、光軸に対して適切な位置に精度良く配置される。したがって、解像度の向上を図れる。
【００３７】
特に、撮像素子に近い第１レンズ系１１１や第２レンズ系１１２の位置ずれほど、解像度に与える影響が大きくなるが、この第１レンズ系１１１を保持するフォーカスレンズ枠１２０および第２レンズ系１１２を保持する像ブレ補正ユニット１３０を第１鏡筒部１１０に保持させているので、より解像度の向上を図れる。
【００３８】
また、第１鏡筒部１１０の開口に配置した蓋部１５０には突起部１５２が設けられ、この突起部１５２を第１鏡筒部１１０の筒内に当接させているので、蓋部１５０は第１鏡筒部１１０にしっかりと固定される。すなわち、第１鏡筒部１１０に対する蓋部１５０の回転を抑制できる。蓋部１５０にはガイドポール１４０の他端が取り付けられるが、蓋部１５０の回転が抑制されるので、ガイドポール１４０に保持された第１レンズ系１１１の位置ずれを抑制できる。
【産業上の利用可能性】
【００３９】
本発明は、デジタルスチルカメラ、デジタルムービカメラ、及び、カメラ付き携帯電話等に適用可能である。
【符号の説明】
【００４０】
１００    レンズ鏡筒
１１０    第１鏡筒部
１１１    第１レンズ系
１１２    第２レンズ系
１１２Ａ    可動レンズ系
１１２Ｂ    固定レンズ系
１１５    仕切板
１２０    フォーカスレンズ枠
１３０    像ブレ補正ユニット
１４０    ガイドポール
１５０    蓋部
１５２    突起部
【図１】
2011123390.tif 000003
【図２】
2011123390.tif 000004
【図３】
2011123390.tif 000005